(57)【特許請求の範囲】
【請求項１】
オーディオ信号処理部と複数の端子とを含むサウンドバー本体と、
前記サウンドバー本体の前記複数の端子のうちの一つの端子に結合される接続端子を含む音響トランスデューサユニットと、
を含み、
前記複数の端子は、前記サウンドバー本体の長手方向に並列に接続され、前記音響トランスデューサユニットは、前記サウンドバー本体に分離自在に設置される、分離型音響トランスデューサを備えるサウンドバー装置。
【請求項２】
前記複数の端子は、前記サウンドバー本体の左側端付近に設けられる複数の左側端子と前記サウンドバー本体の右側端付近に設けられる複数の右側端子とを含む、請求項１に記載の分離型音響トランスデューサを備えるサウンドバー装置。
【請求項３】
前記サウンドバー本体は、電源装置とアンプとを更に含む、請求項１に記載の分離型音響トランスデューサを備えるサウンドバー装置。
【請求項４】
前記複数の端子は、前記アンプに並列に接続される、請求項３に記載の分離型音響トランスデューサを備えるサウンドバー装置。
【請求項５】
前記音響トランスデューサユニットは、中音域用音響トランスデューサと高音域用音響トランスデューサとを含み、
前記接続端子と前記中音域用音響トランスデューサとの間には中音域用クロスオーバーネットワークが設置され、前記接続端子と前記高音域用音響トランスデューサとの間には高音域用クロスオーバーネットワークが設置される、請求項４に記載の分離型音響トランスデューサを備えるサウンドバー装置。
【請求項６】
前記アンプは、ミッドレンジアンプとツイッターアンプとを含み、
前記複数の端子は、前記ミッドレンジアンプに並列に接続される複数のミッドレンジ用端子と前記ツイッターアンプに並列に接続される複数のツイッター用端子とを含む、請求項３に記載の分離型音響トランスデューサを備えるサウンドバー装置。
【請求項７】
前記音響トランスデューサユニットは、中音域用音響トランスデューサと高音域用音響トランスデューサとを含み、
前記接続端子は、前記中音域用音響トランスデューサに接続されるミッドレンジ用接続端子と、前記高音域用音響トランスデューサに接続されるツイッター用接続端子とを含む、請求項６に記載の分離型音響トランスデューサを備えるサウンドバー装置。
【請求項８】
前記サウンドバー本体は、ウーファーアンプと前記ウーファーアンプに接続されるウーファー用端子とを更に含む、請求項３に記載の分離型音響トランスデューサを備えるサウンドバー装置。
【請求項９】
前記サウンドバー本体の前記複数の端子と前記音響トランスデューサユニットの前記接続端子のうち、一方は伝導性のある磁石で形成され、他方は伝導性のある金属材質で形成される、請求項１に記載の分離型音響トランスデューサを備えるサウンドバー装置。
【請求項１０】
前記複数の端子は、前記サウンドバー本体の上面に設けられる、請求項１に記載の分離型音響トランスデューサを備えるサウンドバー装置。
【請求項１１】
前記音響トランスデューサユニットの接続端子は、エンクロージャの下面に設けられる、請求項１０に記載の分離型音響トランスデューサを備えるサウンドバー装置。
【請求項１２】
前記サウンドバー本体は、テレスコープ方式で形成される、請求項１に記載の分離型音響トランスデューサを備えるサウンドバー装置。
【請求項１３】
前記サウンドバー本体は、
前記オーディオ信号処理部が設けられる中央ブロックと、
前記中央ブロックの両端に分離自在に設置され、それぞれ一つの端子が設けられる一対の端子ブロックと、
前記中央ブロックと前記一対の端子ブロックとの間に分離自在に設置される伸長ブロックと
を含む、請求項１に記載の分離型音響トランスデューサを備えるサウンドバー装置。
【請求項１４】
オーディオ信号処理部と、第１の複数の固定部および第２の複数の固定部とを含むサウンドバー本体と、
前記サウンドバー本体の前記第１の複数の固定部のうちの一つの固定部に結合される結合部を含む第１の音響トランスデューサユニットと、
前記サウンドバー本体の前記第２の複数の固定部のうちの一つの固定部に結合される結合部を含む第２の音響トランスデューサユニットと、
を含み、
前記第１の複数の固定部は、前記サウンドバー本体の長手方向の一方の端部側の異なる位置に設けられ、前記第２の複数の固定部は、前記サウンドバー本体の前記長手方向の他方の端部側の異なる位置に設けられ、前記第１及び前記第２に音響トランスデューサユニットは、前記サウンドバー本体に分離自在に設けられる、分離型音響トランスデューサを備えるサウンドバー装置。
【請求項１５】
前記サウンドバー本体は、電力とオーディオ信号とを無線で前記第１及び前記第２の音響トランスデューサユニットに伝送できるように形成され、
前記第１及び前記第２の音響トランスデューサユニットはそれぞれ、前記サウンドバー本体から無線で伝送した前記電力とオーディオ信号とを受信できるように形成された、分離型音響トランスデューサを備える、請求項１４に記載のサウンドバー装置。
【発明の詳細な説明】
【技術分野】
【０００１】
本発明は、平板ディスプレイ装置に使用されるサウンドバーに関し、より詳細には、様々な大きさの平板ディスプレイ装置に使用される分離型音響トランスデューサを備えたサウンドバー装置に関する。
【背景技術】
【０００２】
ＬＣＤテレビ、ＬＥＤテレビなどのような平板ディスプレイ装置は、厚さが次第に薄くなるにつれ、平板ディスプレイ装置に備えられる内蔵スピーカの性能が制限されるという問題がある。
【０００３】
最近は、このような内蔵スピーカの性能制限を解決するために、サウンドバーが薄型平板ディスプレイ装置とともに広く使用されている。従来技術によるサウンドバー５は、ステレオ効果と平板ディスプレイ装置１との調和のために、図１に示すように、平板ディスプレイ装置１の横の長さと類似する長さで形成され、平板ディスプレイ装置１の前に配置される。
【０００４】
しかし、薄型平板ディスプレイ装置１は、ユーザの要求に応じて、多様な画面の大きさで市販されている。例えば、平板ディスプレイ装置１は、３２インチ、４２インチ、５５インチ、６５インチのような多様な画面の大きさで市販されている。
【０００５】
よって、サウンドバー５も、このような様々な大きさの平板ディスプレイ装置１に応じて長さが異なるモデルが開発されて市販されている。例えば、４２インチ平板ディスプレイ装置には、４２インチ用サウンドバーが使用され、６５インチ平板ディスプレイ装置には、６５インチ用サウンドバーが使用される。
【０００６】
しかし、このように、様々な大きさの平板ディスプレイ装置のために、専用のサウンドバーを設けることは、製造コストが高く、管理が難しいという問題があった。
【０００７】
そこで、一つのサウンドバーで多様な大きさの平板ディスプレイ装置に適用可能なサウンドバーの構造への工夫が求められている。
【発明の概要】
【発明が解決しようとする課題】
【０００８】
そこで、本発明は、上記問題に鑑みてなされたものであり、本発明の目的とするところは、多様な大きさの平板ディスプレイ装置に使用できる分離型音響トランスデューサを備えたサウンドバー装置を提供することにある。
【課題を解決するための手段】
【０００９】
本発明の一側面に係る分離型音響トランスデューサを備えたサウンドバー装置は、オーディオ信号処理部と複数の端子とを含むサウンドバー本体と、前記サウンドバー本体の前記複数の端子のうちの一つの端子に結合される接続端子を含む音響トランスデューサユニットと、を含み、前記複数の端子は、前記サウンドバー本体の長手方向に並列に接続され、前記音響トランスデューサユニットは、前記サウンドバー本体に分離自在に設置されてよい。
【００１０】
このとき、前記複数の端子は、前記サウンドバー本体の左側端付近に設けられる複数の左側端子と前記サウンドバー本体の右側端付近に設けられる複数の右側端子とを含んでよい。
【００１１】
なお、前記音響トランスデューサユニットは、中音域用音響トランスデューサと高音域用音響トランスデューサとを含み、前記接続端子と前記中音域用音響トランスデューサとの間には中音域用クロスオーバーネットワークが設置され、前記接続端子と前記高音域用音響トランスデューサとの間には高音域用クロスオーバーネットワークが設置されてよい。
【００１２】
なお、前記アンプは、ミッドレンジアンプとツイッターアンプとを含み、前記複数の端子は、前記ミッドレンジアンプに並列に接続される複数のミッドレンジ用端子と前記ツイッターアンプに並列に接続される複数のツイッター用端子とを含んでよい。
【００１３】
なお、前記音響トランスデューサユニットは、中音域用音響トランスデューサと高音域用音響トランスデューサとを含み、前記接続端子は、前記中音域用音響トランスデューサに接続されるミッドレンジ用接続端子と、前記高音域用音響トランスデューサに接続されるツイッター用接続端子とを含んでよい。
【００１４】
なお、前記サウンドバー本体の前記複数の端子と前記音響トランスデューサユニットの接続端子のうち、一方は伝導性のある磁石で形成され、他方は伝導性のある金属材質で形成されてよい。
【００１５】
なお、前記音響トランスデューサユニットの接続端子は、エンクロージャの下面に設けられてよい。
【００１６】
なお、前記サウンドバー本体は、テレスコープ方式で形成されてよい。
【００１７】
なお、前記サウンドバー本体は、前記オーディオ信号処理部が設けられる中央ブロックと、前記中央ブロックの両端に分離自在に設置され、それぞれ一つの端子が設けられる一対の端子ブロックと、前記中央ブロックと前記一対の端子ブロックとの間に分離自在に設置される伸長ブロックとを含んでよい。
【００１８】
本発明の別の側面に係る分離型音響トランスデューサを備えたサウンドバー装置は、オーディオ信号処理部と複数の固定部とを含むサウンドバー本体と、前記サウンドバー本体の前記複数の固定部のうちの一つの固定部に結合される結合部を含む音響トランスデューサユニットと、を含み、前記複数の固定部は、前記サウンドバー本体の長手方向に設けられ、前記音響トランスデューサユニットは、前記サウンドバー本体に分離自在に設けられてよい。
【００１９】
このとき、前記サウンドバー本体に設けられた前記複数の固定部と前記音響トランスデューサユニットに設けられた前記結合部とは、オーディオ信号を伝送する端子で形成されてよい。
【００２０】
なお、前記サウンドバー本体と音響トランスデューサユニットとは、電力とオーディオ信号を無線で送受信できるように形成されてよい。
【００２１】
本発明の別の目的、利点、及び重要な特徴は、添付の図面に関連して多様な実施形態を開示した後の詳細な説明により明白になる。
【図面の簡単な説明】
【００２２】
本発明の上述の目的及び特徴は、添付の図面を参照して本発明の好適な実施形態について詳細に説明することで、より明白になる。添付の図面において：
【図１】平板ディスプレイ装置に適用される従来技術によるサウンドバーを示す図である。
【図２】平板ディスプレイ装置に設置された本発明の一実施形態に係る分離型音響トランスデューサを備えるサウンドバー装置を示す図である。
【図３】本発明の一実施形態に係る分離型音響トランスデューサを備えるサウンドバー装置を示す分離斜視図である。
【図４】本発明の一実施形態に係る分離型音響トランスデューサを備えるサウンドバー装置のサウンドバー本体の機能ブロック図である。
【図５】本発明の一実施形態に係る分離型音響トランスデューサを備えるサウンドバー装置の音響トランスデューサユニットを概念的にを示す断面図である。
【図６】本発明の一実施形態に係る分離型音響トランスデューサを備えるサウンドバー装置の音響トランスデューサユニットの背面斜視図である。
【図７】本発明の一実施形態に係る分離型音響トランスデューサを備えるサウンドバー装置の音響トランスデューサユニットの別の例を概念的にを示す断面図である。
【図８】本発明の別の実施形態に係る分離型音響トランスデューサを備えるサウンドバー装置のサウンドバー本体の機能ブロック図である。
【図９】本発明の別の実施形態に係る分離型音響トランスデューサを備えるサウンドバー装置の音響トランスデューサを概念的に示す断面図である。
【図１０】本発明の別の実施形態に係る分離型音響トランスデューサを備えるサウンドバー装置のサウンドバー本体の平面図である。
【図１１Ａ】図１０の分離型音響トランスデューサを備えるサウンドバー装置のサウンドバー本体の設置場所を示す図である。
【図１１Ｂ】図１０の分離型音響トランスデューサを備えるサウンドバー装置のサウンドバー本体の設置場所を示す図である。
【図１１Ｃ】図１０の分離型音響トランスデューサを備えるサウンドバー装置のサウンドバー本体の設置場所を示す図である。
【図１２】本発明の別の実施形態に係る分離型音響トランスデューサを備えるサウンドバー装置のサウンドバー本体の機能ブロック図である。
【図１３】本発明の別の実施形態に係る分離型音響トランスデューサを備えるサウンドバー装置のサウンドバー本体の機能ブロック図である。
【図１４Ａ】本発明の一実施形態に係る分離型音響トランスデューサを備えるサウンドバー装置を大きさの異なる平板ディスプレイ装置に適用した状態を示す図である。
【図１４Ｂ】本発明の一実施形態に係る分離型音響トランスデューサを備えるサウンドバー装置を大きさの異なる平板ディスプレイ装置に適用した状態を示す図である。
【図１４Ｃ】本発明の一実施形態に係る分離型音響トランスデューサを備えるサウンドバー装置を大きさの異なる平板ディスプレイ装置に適用した状態を示す図である。
【図１４Ｄ】本発明の一実施形態に係る分離型音響トランスデューサを備えるサウンドバー装置を大きさの異なる平板ディスプレイ装置に適用した状態を示す図である。
【図１４Ｅ】本発明の一実施形態に係る分離型音響トランスデューサを備えるサウンドバー装置を大きさの異なる平板ディスプレイ装置に適用した状態を示す図である。
【図１４Ｆ】本発明の一実施形態に係る分離型音響トランスデューサを備えるサウンドバー装置を大きさの異なる平板ディスプレイ装置に適用した状態を示す図である。
【図１５】本発明の一実施形態に係る分離型音響トランスデューサを備えるサウンドバー装置のサウンドバー本体の別の例を示す斜視図である。
【図１６】図１５のサウンドバー本体を一段短くした状態を示す斜視図である。
【図１７】図１５のサウンドバー本体を完全に短くした状態を示す斜視図である。
【図１８】本発明の一実施形態に係る分離型音響トランスデューサを備えるサウンドバー装置のサウンドバー本体の別の例の機能ブロック図である。
【図１９】本発明の一実施形態に係る分離型音響トランスデューサを備えるサウンドバー装置のサウンドバー本体の別の例を示す斜視図である。
【図２０】図１９の分離型音響トランスデューサを備えるサウンドバー装置のサウンドバー本体の中央ブロックから端子ブロックを分離した状態を示す斜視図である。
【図２１】図１９の分離型音響トランスデューサを備えるサウンドバー装置のサウンドバー本体に伸長ブロックを設置した状態を示す斜視図である。
【図２２】図１９の分離型音響トランスデューサを備えるサウンドバー装置に使用される伸長ブロックを示す斜視図である。
【図２３】本発明の別の実施形態に係る分離型音響トランスデューサを備えるサウンドバー装置を示す斜視図である。
【図２４】図２３の分離型音響トランスデューサを備えるサウンドバー装置の機能ブロック図である。
【００２３】
同一の参照番号は、図面の全体に亘って同一の部品、構成要素、及び構造を指すものとして理解されるべきである。
【発明を実施するための形態】
【００２４】
以下に添付図面を参照しながら、本発明の好適な実施形態について詳細に説明する。
【００２５】
以下で説明される実施形態は、本発明の理解を促すために例示的に示したものであり、本発明は、ここで説明される実施形態と異なるように多様に変形されて実施できることが理解されるべきである。ただ、以下において、本発明を説明するうえで、関連の公知機能或いは構成要素に対する具体的な説明が本発明の要旨を不要に曖昧にすると判断される場合には、その詳細な説明及び具体的な図示を省略する。なお、添付の図は、発明の理解を促すために、実際の寸法の通り示しておらず、一部の構成要素の寸法が誇張して示されることがある。
【００２６】
図２は、平板ディスプレイ装置に設置された本発明の一実施形態に係る分離型音響トランスデューサを備えるサウンドバー装置を示す図である。図３は、本発明の一実施形態に係る分離型音響トランスデューサを備えるサウンドバー装置を示す分離斜視図である。図４は、本発明の一実施形態に係る分離型音響トランスデューサを備えるサウンドバー装置のサウンドバー本体の機能ブロック図である。図５は、本発明の一実施形態に係る分離型音響トランスデューサを備えるサウンドバー装置の音響トランスデューサユニットを概念的に示す断面図である。図６は、本発明の一実施形態に係る分離型音響トランスデューサを備えるサウンドバー装置の音響トランスデューサユニットの背面斜視図である。
【００２７】
図２及び図３を参照すると、本発明の一実施形態に係る分離型音響トランスデューサを備えるサウンドバー装置１０は、サウンドバー本体２０と音響トランスデューサユニット３０とを含んでよい。
【００２８】
サウンドバー本体２０は、平板ディスプレイ装置１の前に設置されるものとして、長い棒状に形成される。例えば、サウンドバー本体２０は、図３に示すように、高さ（Ｈ）が低く幅（Ｗ）が狭く長さ（Ｌ）が長い略直方体状に形成されてよい。サウンドバー本体２０の長さ（Ｌ）は、適用対象になる多様な大きさの平板ディスプレイ装置１のうち、最も大きい平板ディスプレイ装置１の横の長さに対応できるように定められる。なお、本発明に係るサウンドバー本体２０は、音響トランスデューサを含まないため、音響トランスデューサを設置するのに必要な空間を減らすことができ、音響トランスデューサを含む従来技術によるサウンドバー５（図１を参照）に比べて高さまたは厚さを大幅に軽減させることができる。
【００２９】
例えば、本発明のサウンドバー１０を３２インチないし６５インチ範囲の平板ディスプレイ装置１に適用できるように形成する場合には、サウンドバー本体２０の長さは、６５インチ平板ディスプレイ装置１の横の長さに対応するように設けられる。具体的に、サウンドバー本体２０は、平板ディスプレイ装置１の横の長さより二つの音響トランスデューサユニット３０を設置できる程度の長さの分だけ長く形成することができる。例えば、サウンドバー本体２０を長手方向に二等分する線を平板ディスプレイ装置１と横の方向に二等分する線に一致させる場合、平板ディスプレイ装置１の左右両側にサウンドバー本体２０の左側端と右側端とが一定の長さだけ突出するようにサウンドバー本体２０の長さ（Ｌ）を決めることができる。このとき、サウンドバー本体２０の突出する長さは、音響トランスデューサユニット３０を設置することができるように適切に定められる。
【００３０】
サウンドバー本体２０は、オーディオ信号処理部２１と複数の端子２７、２８とを含んでよい。複数の端子２７、２８は、サウンドバー本体２０の上面に設けられる。複数の端子２７、２８は、サンドバー本体２０の長手方向に一直線上に設けられてよい。複数の端子２７、２８のそれぞれは、＋端子２７−１、２８−１と−端子２７−２、２８−２を含んでよい。
【００３１】
なお、複数の端子２７、２８は、サウンドバー本体２０の両側端に対称になるように設けられる。具体的に、サウンドバー本体２０の左側端付近には複数の左側端子２７が設けられ、サウンドバー本体２０の右側端付近には複数の右側端子２８が設けられる。このとき、複数の左側端子２７と複数の右側端子２８とは、同じ数で設けられる。例えば、左側端子２７が３つの端子を含む場合、右側端子２８も３つの端子を含む。複数の左側端子２７と複数の右側端子２８の数は、適用される平板ディスプレイ装置のモデルの数に応じて定められてよい。本実施形態の場合には、３つの平板ディスプレイ装置のモデルに適用できるようにサウンドバー本体２０は３つの左側端子２７と３つの右側端子２８とを含む。
【００３２】
複数の端子２７、２８間の間隔は、サウンドバー装置１０が適用される複数の平板ディスプレイ装置の横の長さの差に応じて定められてよい。例えば、左側及び右側の最外側に位置する端子２７ａ、２７ｂが６５インチ平板ディスプレイ装置に合うように定められ、左側及び右側の中間に位置する端子２７ｂ、２８ｂは５５インチ平板ディスプレイ装置に合うように定められ、左側及び右側の最内側に位置する端子２７ｃ、２８ｃは４８インチ平板ディスプレイ装置に合うように定められてよい。複数の端子２７、２８は、電気導体で形成されてよい。
【００３３】
サウンドバー本体２０の内部には、オーディオ信号処理部２１、アンプ２３、電源装置２２が設けられてよい。
【００３４】
オーディオ信号処理部２１は、外部入力装置、例えば、平板ディスプレイ装置１から出力されるオーディオ信号を処理してアンプ２３に伝送する。よって、サウンドバー本体２０には、外部の信号が入力される入力端子１１が設けられる。オーディオ信号処理部２１は、従来技術によるサウンドバー５（図１を参照）に使用されるオーディオ信号処理部と同一か類似するため、詳細な説明は省略する。
【００３５】
アンプ２３は、オーディオ信号処理部２１から出力されたオーディオ信号を増幅して複数の端子２７、２８に出力する。複数の端子２７、２８は、アンプ２３に電気的に接続される。具体的に、複数の端子２７、２８は、アンプ２３から出る信号線２３−１、２３−２にサウンドバー本体２０の長手方向に並列に接続されている。即ち、アンプ２３の＋出力ライン２３−１と−出力ライン２３−２が複数の端子２７、２８それぞれの＋端子２７−１、２８−１と−端子２７−２、２８−２に並列に接続される。なお、アンプ２３では、複数の左側端子２７と複数の右側端子２８にオーディオ信号を分離して出力する。このようなアンプ２３は、従来技術によるサウンドバー５に使用されるアンプと同一か類似するため、詳細な説明は省略する。
【００３６】
電源装置２２は、オーディオ信号処理部２１とアンプ２３とに電源を供給するものとして、ＳＭＰＳ（Ｓｗｉｔｃｈｉｎｇ  Ｍｏｄｅ  Ｐｏｗｅｒ  Ｓｕｐｐｌｙ）、ＤＣ整流装置、ＤＣ定電圧装置などが使用されてよい。別の例としては、サウンドバー本体２０の内部に電源装置２２を設置せずに、サウンドバー本体２０の外部に設けられるＤＣアダプタを用いてオーディオ信号処理部２１とアンプ２３に電源を供給するように構成することもできる。
【００３７】
音響トランスデューサユニット３０は、上述のサウンドバー本体２０に対して分離自在に設置される。音響トランスデューサユニット３０をサウンドバー本体２０の上面に設置すると、音響トランスデューサユニット３０は、サウンドバー本体２０に略垂直に位置するようになる。なお、音響トランスデューサユニット３０は、サウンドバー本体２０に設けられた複数の端子２７、２８のうちの一方の端子に分離自在に結合されるように形成される。
【００３８】
図５を参照すると、音響トランスデューサユニット３０は、音響トランスデューサ３１とエンクロージャ３３とを含んでよい。
【００３９】
エンクロージャ（ｅｎｃｌｏｓｕｒｅ）３３は、音響トランスデューサ３１を囲み、音響トランスデューサユニット３０の外観を形成する。図５及び図６に示すように、エンクロージャ３３の下部には接続端子３５が設けられ、接続端子３５は、＋接続端子５３−１と−接続端子５３−２を含む。＋接続端子３５−１と−接続端子５３−２とは、音響トランスデューサ３１に接続される。なお、エンクロージャ３３の＋接続端子３５−１と−接続端子５３−２とは、上述のサウンドバー本体２０の複数の端子に２７、２８の＋端子２７−１、２８−１と−端子２７−２、２８−２に対応するように形成される。よって、音響トランスデューサユニット３０の＋接続端子３５−１と−接続端子５３−２をサウンドバー本体２０の＋端子２７−１、２８−１と−端子２７−２、２８−２に接続すると、アンプ２３から出力されるオーディオ信号が音響トランスデューサ３１を介して再生される。
【００４０】
音響トランスデューサ３１は、エンクロージャ３３の下部に設けられた接続端子３５を介してサウンドバー本体２０から伝送されるオーディオ信号を受信して音を再生する。本実施形態の場合には、低音域から高音域に至るまで再生することができる一つの音響トランスデューサ３１が使用されている。
【００４１】
別の例として、音響トランスデューサユニット３０’は二つの音響トランスデューサ、即ち、中音域用音響トランスデューサ３１’と高音域用音響トランスデューサ３２を含んでよい。
【００４２】
図７は、本発明の一実施形態に係る分離型音響トランスデューサを備えるサウンドバー装置の音響トランスデューサユニットの別の例を概念的にを示す断面図である。
【００４３】
図７を参照すると、本実施形態に係る音響トランスデューサユニット３０’は、中音域用音響トランスデューサ３１’と、高音域用音響トランスデューサ３２と、二つのクロスオーバーネットワーク３７、３８、エンクロージャ３３、及び接続端子３５を含んでよい。
【００４４】
エンクロージャ３３は、中音域音響トランスデューサ３１’と高音域用音響トランスデューサ３２とを囲むことができるように形成され、エンクロージャ３３の下面には、一つの接続端子３５が設けられる。接続端子３５は、＋接続端子３５−１と−接続端子３５−２とを含む。中音域音響トランスデューサ３１’と高音域用音響トランスデューサ３２は、信号線３６−１、３６−２を介して＋接続端子３５−１と−接続端子３５−２と並列に接続されてよい。
【００４５】
なお、接続端子３５と中音域音響トランスデューサ３１’との間には、中音域用クロスオーバーネットワーク３７が設置され、接続端子３５と高音域用音響トランスデューサ３２との間には高音域用クロスオーバーネットワーク３８が設置される。よって、一つの接続端子３５を介して入力されるオーディオ信号はクロスオーバーネットワーク３７、３８を介して高音域信号と中音域信号とに分割されて高音域用音響トランスデューサ３２と中音域用音響トランスデューサ３１’とを介して再生されるようになる。ここで、高音域用音響トランスデューサ３２は、ツイッター(ｔｗｅｅｔｅｒ（登録商標）)を含み、中音域トランスデューサ３１’はミッドレンジ（ｍｉｄｒａｎｇｅ）を含んでよい。
【００４６】
音響トランスデューサユニット３０で音を再生する際、音響トランスデューサユニット３０がサウンドバー本体２０から分離されないように、音響トランスデューサユニット３０はサウンドバー本体２０に固定される。音響トランスデューサユニット３０をサウンドバー本体２０に固定するために固定装置が使用される。固定装置としては、多様な固定方式で実現されてよい。
【００４７】
一例として、サウンドバー本体２０の複数の端子２７、２８を伝導性がある磁石で形成し、音響トランスデューサユニット３０の接続端子３５は磁石に付着できる伝導性のある金属材料で形成することができる。すると、音響トランスデューサユニット３０の接続端子３５をサウンドバー本体２０の複数の端子２７、２８のうち一方に付着すると、音響トランスデューサユニット３０が磁力によってサウンドバー本体２０に固定されるようになる。このとき、オーディオ信号は、接触し合うサウンドバー本体２０の端子２７、２８と音響トランスデューサユニット３０の接続端子３５を介して音響トランスデューサ３１に伝達される。
【００４８】
別の例として、上述とは反対に、サウンドバー本体２０の複数の端子２７、２８は伝導性があって磁石に付着できる金属で形成され、音響トランスデューサユニット３０の接続端子３５は伝導性のある磁石で形成することができる。
【００４９】
サウンドバー本体２０の複数の端子２７、２８と音響トランスデューサユニット３０の接続端子３５のうち一つを磁石で形成する場合、サウンドバー本体２０の複数の端子２７、２８は、サウンドバー本体２０の上面と同一の平面をなすように形成されてよい。即ち、複数の端子２７、２８は、サウンドバー本体２０の上面から突出したり窪まないように設けられてよい。なお、音響トランスデューサユニット３０の接続端子３５も、エンクロージャ３３の下面と同一の平面をなすように形成することができる。
【００５０】
別の例として、サウンドバー本体２０の複数の端子２７、２８は突き出たり窪むように形成し、それに対応する音響トランスデューサユニット３０の接続端子３５は窪んだり突き出るように形成し、サウンドバー本体２０と音響トランスデューサユニット３０を挿入結合方式で結合してよい。
【００５１】
更に別の例として、サウンドバー本体２０の複数の端子２７、２８と音響トランスデューサユニット３０の接続端子３５とを利用せずに、別途の固定装置（図示せず）を使用してサウンドバー本体２０の音響トランスデューサユニット３０とを結合することができる。固定装置としては、磁石方式、ワンタッチ方式、挿入方式など、音響トランスデューサユニット３０をサウンドバー本体２０に固定できるようにした多様な方式が使用されてよい。
【００５２】
図７では、一つの接続端子３５を介して中音域用音響トランスデューサ３１と高音域用音響トランスデューサ３２とにオーディオ信号を伝送していた。しかし、別の例としては、別途の接続端子を使用して中音域用音響トランスデューサと高音域用トランスデューサにオーディオ信号を伝送するようにサウンドバー装置を構成することができる。
【００５３】
図８は、本発明の別の実施形態に係る分離型音響トランスデューサを備えるサウンドバー装置のサウンドバー本体の機能ブロック図であり、図９は、本発明の別の実施形態に係る分離型音響トランスデューサを備えるサウンドバー装置の音響トランスデューサを概念的に示す断面図である。図１０は、本発明の別の実施形態に係る分離型音響トランスデューサを備えるサウンドバー装置のサウンドバー本体の平面図である。
【００５４】
図８ないし図１０を参照すると、本発明の一実施形態に係る分離型音響トランスデューサを備えるサウンドバー装置１０は、サウンドバー本体１２０と二つの音響トランスデューサユニット１３０とを含んでよい。
【００５５】
サウンドバー本体１２０が、幅が狭く長さが長く高さが低い略直方体状に形成されることは、図３に示す実施形態に係るサウンドバー２０と類似する。ただ、上述の実施形態と違って、サウンドバー本体１２０の上面には複数の端子１２７、１２８が２列に設けられる。第１列の複数の端子１２７は中音域用音響トランスデューサ用オーディオ信号を伝送し、第２列の複数の端子１２８は高音域用音響トランスデューサ用オーディオ信号を伝送するように設けられる。
【００５６】
第１列の端子１２７は、複数の左側端子１２７Ｌと複数の右側端子に１２７Ｒで構成される。なお、第２列の端子１２８も、複数の左側端子１２８Ｌと複数の右側端子１２８Ｒで構成される。第１列と第２列とを構成する複数の端子１２７、１２８は、それぞれ＋端子１２７−１、１２８−１と、−端子１２７−２、１２８−２を含む。よって、サウンドバー本体１２０は、一つの音響トランスデューサユニット１３０のために、二つの端子１２７、１２８を提供する。
【００５７】
図８を参照すると、サウンドバー本体１２０の内部には、オーディオ信号処理部１２１、ミッドレンジ用アンプ１２３、ツイッター用アンプ１２４及び電源装置１２２が設けられてよい。
【００５８】
オーディオ信号処理部１２１と電源装置１２２は、上述の実施形態と同一であるため、詳細な説明は省略する。
【００５９】
ミッドレンジ用アンプ１２３は、オーディオ信号処理部１２１から出力される中音域用オーディオ信号を増幅する。ミッドレンジ用アンプ１２３は、第１列の複数の端子１２７と並列に接続されている。具体的に、ミッドレンジ用アンプ１２３から伸長される左側オーディオ信号線１２３Ｌは、第１列の複数の左側端子１２７Ｌに並列に接続され、右側オーディオ信号線１２３Ｒは、第１列の複数の右側端子１２７Ｒに並列に接続される。よって、第１列の複数の端子１２７は、ミッドレンジ用端子を構成する。
【００６０】
ツイッター用アンプ１２４は、オーディオ信号処理部１２１から出力される高音域用オーディオ信号を増幅する。ツイッター用アンプ１２４は、第２列の複数の端子１２８と並列に接続されている。具体的に、ツイッター用アンプ１２４から伸長される左側オーディオ信号線１２４Ｌは、第２列の複数の左側端子１２８Ｌに並列に接続され、右側オーディオ信号線１２４Ｒは、第２列の複数の右側端子１２８Ｒに並列に接続される。よって、第２列の複数の端子１２８は、ツイッター用端子を構成する。
【００６１】
サウンドバー本体１２０の別の構成は、上述の実施形態によるサウンドバー本体２０と同一か類似するため、詳細な説明は省略する。
【００６２】
図９を参照すると、音響トランスデューサユニット１３０は、上述のサウンドバー本体１２０に対して分離自在に設置される。音響トランスデューサユニット１３０は、サウンドバー本体１２０に設けられた２列の複数の端子１２７、１２８のうち一対をなす２つの端子に分離自在に結合されるように形成される。
【００６３】
音響トランスデューサユニット１３０は、中音域用音響トランスデューサ１３１、高音域用音響トランスデューサ１３２及びエンクロージャ１３３を含んでよい。
【００６４】
エンクロージャ１３３は、中音域用音響トランスデューサ１３１と高音域用音響トランスデューサ１３２を囲み、音響トランスデューサユニット１３０の外観を形成する。エンクロージャ１３３の下部には二つの接続端子、即ち、第１接続端子１３７と第２接続端子１３８が設けられ、各接続端子１３７、１３８は、＋接続端子１３７−１、１３８−１と−接続端子１３７−２、１３８−２を含む。第１接続端子１３７は、中音域用音響トランスデューサ１３１に接続され、第２接続端子１３８は、高音域用音響トランスデューサ１３２に接続される。
【００６５】
なお、エンクロージャ１３３の第１及び第２接続端子１３７、１３８は、上述のサウンドバー本体１２０の２列の複数の端子１２７、１２８に対応するように形成される。具体的に、音響トランスデューサユニット１３０は、第１接続端子１３７はサウンドバー本体１２０の第１列の複数の端子１２７のうち一つの端子に接続されるように形成され、第２接続端子１３８はサウンドバー本体１２０の第２列の複数の端子１２８のうち一つの端子に接続されるように形成される。よって、第１接続端子１３７は、中音域用音響トランスデューサ１３１に接続されるミッドレンジ用接続端子を構成し、第２接続端子１３８は、高音域用音響トランスデューサ１３２に接続されるツイッター用接続端子を構成する。
【００６６】
よって、音響トランスデューサユニット１３０は、第１接続端子１３７と第２接続端子１３８とをサウンドバー本体１２０の第１列の端子１２７と第２列の端子１２８に接続すると、ミッドレンジ用アンプ１２３から出力された中音域帯のオーディオ信号は中音域用音響トランスデューサ１３１を介して再生され、ツイッター用アンプ１２４から出力された高音域帯のオーディオ信号は高音域用音響トランスデューサ１３２を介して再生される。
【００６７】
上述のように、ミッドレンジ用アンプ１２３とツイッター用アンプ１２４とを含むサウンドバー本体１２０の上面には、図１０に示すように、一つの音響トランスデューサユニット１３０のために二つの端子１２７、１２８が提供される。
【００６８】
図１０に示すサウンドバー本体１２０には、左右側に３つずつ６つの設置場所１２６が設けられる。各設置場所１２６には、音響トランスデューサユニット１３０が設置されてよい。サウンドバー本体１２０の音響トランスデューサユニット用設置場所１２６には、２つの端子１２７ａ、１２８ａが設けられる。一方の端子１２８ａは、音響トランスデューサユニット１３０の高音域用音響トランスデューサ１３２に接続され、他方の端子１２７ａは、音響トランスデューサユニット１３０の中音域用音響トランスデューサ１３２に接続される。各端子１２７ａ、１２８ａは、＋端子と−端子を含む。
【００６９】
このとき、音響トランスデューサユニット１３０が反対方向にサウンドバー本体１２０に装着されることを防止する必要がある。
【００７０】
図１１Ａ、図１１Ｂ、図１１Ｃは、図１０の分離型音響トランスデューサを備えるサウンドバー装置のサウンドバー本体の設置場所を示す図である。
【００７１】
音響トランスデューサユニット１３０がサウンドバー本体１２０の設置場所１２６に誤って装着されることの防止するために、図１１Ａに示すように、２つの端子１２７、１２８の配列を異なるように設けることができる。例えば、第１列の端子１２７の＋端子１２７−１と−端子１２７−２との間の間隔を第２列の端子１２８の＋端子１２８−１と−端子１２８−２との間の間隔より大きくすることである。
【００７２】
別の方法として、図１１Ｂに示すように、第１列の端子１２７と第２列の端子１２８とを対角線に配置することができる。この場合、第１列の端子１２７の＋端子１２７−１と−端子１２７−２との間の間隔と、第２列の端子１２８の＋端子１２８−１と−端子１２８−２との間の間隔は同一にすることができる。
【００７３】
更に別の方法として、サウンドバー本体１２０の設置場所１２６と音響トランスデューサユニット１３０に器具的な設置ガイドを設けることができる。例えば、図１１Ｃに示すように、サウンドバー本体１２０に台形状の溝１２６を設け、溝１２６の内部に２つの端子１２７、１２８を設けることができる。このとき、音響トランスデューサユニット１２０の下面にも、サウンドバー本体１２０の台形状の溝１２６に挿入できる台形状の突起（図示せず）を設ける。しかし、サウンドバー本体１２０と音響トランスデューサユニット１３０の設置ガイドはそれに限定されず、多様な形状で設けられてよい。
【００７４】
その他にも、音響トランスデューサユニット１３０をサウンドバー本体１２０に誤って装着することを防止するために、サウンドバー本体１２０と音響トランスデューサユニット１３０に設置方向を示す表示を印刷することもできる。
【００７５】
一方、上述の本発明の一実施形態に係る分離型トランスデューサを備えるサウンドバー装置１０は、低音域用トランスデューサ、即ち、ウーファースピーカ（ｗｏｏｆｅｒ  ｓｐｅａｋｅｒ）を接続することができるように構成することができる。
【００７６】
図１２は、本発明の別の実施形態に係る分離型音響トランスデューサを備えるサウンドバー装置のサウンドバー本体の機能ブロック図である。
【００７７】
図１２を参照すると、サウンドバー本体２２０は、オーディオ信号処理部２２１、ミッドレンジアンプ２２３、ウーファーアンプ２２５、電源装置２２を含むことができる。
【００７８】
図１２に示すサウンドバー本体２２０は、図４に示すサウンドバー本体２０にウーファーアンプ２２５を追加した構成である。よって、図１２のサウンドバー本体２２０のオーディオ信号処理部２２１、ミッドレンジアンプ２２３、及び電源装置２２２は、上述の図４のサウンドバー本体２０のオーディオ信号処理部２１、アンプ２３、及び電源装置２２と類似するか同一である。なお、サウンドバー本体２２０の上面に複数の端子２２７が設けられることも上述の図４のサウンドバー本体と同一である。
【００７９】
ウーファーアンプ２２５は、オーディオ信号処理部２２１とサウンドバー本体２２０の一側面に設けられたウーファー用端子２２６と接続される。ウーファーアンプ２２５は、電源装置２２２から電源を供給される。
【００８０】
ウーファーアンプ２２５は、オーディオ信号処理部２２１から出力された低音域帯オーディオ信号を増幅してウーファー用端子２２６に伝送する。ウーファー用端子２２６には、本発明の音響トランスデューサユニット３０（図３を参照）とは別途に設けられたウーファースピーカ２２９の接続端子を接続することができる。ウーファースピーカ２２９は、従来の技術によるものであるため、詳細な説明は省略する。
【００８１】
図１３は、本発明の別の実施形態に係る分離型音響トランスデューサを備えるサウンドバー装置のサウンドバー本体の機能ブロック図である。
【００８２】
図１３を参照すると、サウンドバー本体３２０は、オーディオ信号処理部３２１、ツイッターアンプ３２４、ミッドレンジアンプ３２３、ウーファーアンプ３２５、電源装置３２２を含んでよい。
【００８３】
図１３に示すサウンドバー本体３２０は、図８に示すサウンドバー本体１２０にウーファーアンプ３２５が追加された構成である。よって、図１３のサウンドバー本体３２０のオーディオ信号処理部３２１、ツイッターアンプ３２４、ミッドレンジアンプ３２３、及び電源装置３２２は、上述の図８のサウンドバー本体１２０のオーディオ信号処理部１２１、ツイッターアンプ１２４、ミッドレンジアンプ１２３、及び電源装置１２２と類似するか同一である。なお、サウンドバー本体３２０の上面に、複数の端子３２７、３２８が設けられることも上述の図８のサウンドバー本体１２０と同一である。
【００８４】
ウーファーアンプ３２５は、オーディオ信号処理部３２１とサウンドバー本体３２０の一側面に設けられたウーファー用端子３２６と接続される。ウーファーアンプ３２５は、電源装置３２２から電源を供給される。
【００８５】
ウーファーアンプ３２５は、オーディオ信号処理部３２１から出力された低音域帯オーディオ信号を増幅してウーファー用端子３２６に伝送する。ウーファー用端子３２６には、本発明の音響トランスデューサユニット１３０（図９を参照）とは別途に設けられたウーファースピーカ３２９の接続端子を接続することができる。ウーファースピーカ３２９は、従来の技術によるものであるため、詳細な説明は省略する。
【００８６】
以下、本発明の一実施形態に係る分離型音響トランスデューサを備えるサウンドバー装置を多様な大きさの平板ディスプレイ装置に設置する方法について、図１４Ａないし図１４Ｆを参照して説明する。
【００８７】
図１４Ａないし図１４Ｆは、本発明の一実施形態に係る分離型音響トランスデューサを備えるサウンドバー装置を大きさの異なる平板ディスプレイ装置に適用した状態を示す図である。
【００８８】
具体的に、図１４Ａ及び図１４Ｂは、最も大きいサイズの平板ディスプレイ装置１、例えば、６５インチ平板ディスプレイ装置１に本発明の一実施形態に係る分離型音響トランスデューサを備えるサウンドバー装置１０を設置する場合を示す。
【００８９】
図１４Ａ及び図１４Ｂを参照すると、サウンドバー本体１２０は平板ディスプレイ装置１の前、即ち、平板ディスプレイ装置１のスタンド２の前に設置される。このとき、サウンドバー本体１２０は、平板ディスプレイ装置１が設置された床面３に設置する。このとき、サウンドバー本体１２０の高さ（Ｈ）が従来技術によるサウンドバーの高さに比べて非常に低いため、それほど目立たない。
【００９０】
続いて、ユーザは２つの音響トランスデューサユニット１３０をサウンドバー本体１２０の左右側に設置する。このとき、サウンドバー本体１２０に設けられた複数の設置場所１２６のうち、最外郭に設けられた設置場所１２６−１、１２６−６のみ平板ディスプレイ装置１の左側と右側とに突出しているため、ユーザは二つの音響トランスデューサユニット１３０を平板ディスプレイ装置１の外部に突出した最左側の設置場所１２６−１と最右側の設置場所１２６−６に設置する。
【００９１】
音響トランスデューサユニット１３０をサウンドバー本体１２０の設置場所１２６に設置すると、音響トランスデューサユニット１３０の接続端子１３７、１３８（図９を参照）がサウンドバー本体１２０の最外郭設置場所１２６−１、１２６−６の端子１２７、１２８に電気的に接続されるため、サウンドバー本体１２０から出力されるオーディオ信号が音響トランスデューサユニット１３０の中音域用音響トランスデューサ１３１と高音域用音響トランスデューサ１３２によって再生される。
【００９２】
図１４Ｃ及び図１４Ｄは、中間サイズの平板ディスプレイ装置１’、例えば、５５インチの平板ディスプレイ装置１に本発明の一実施形態に係る分離型音響トランスデューサを備えるサウンドバー装置１０を設置した場合を示す。
【００９３】
図１４Ｃ及び図１４Ｄを参照すると、サウンドバー本体１２０は平板ディスプレイ装置１’の前、即ち、平板ディスプレイ装置１’のスタンド２’の前に設置される。続いて、ユーザは、二つの音響トランスデューサユニット１３０をサウンドバー本体１２０の左右側に設置する。このとき、サウンドバー本体１２０に設けられる複数の設置場所１２６のうち、最外郭の設置場所１２６−１、１２６−６と中間の設置場所１２６−２、１２６−５が平板ディスプレイ装置１’の左側と右側とに突出している。よって、ユーザは二つの音響トランスデューサユニット１３０を平板ディスプレイ装置１’の外部に突出した設置場所１２６のうち、平板ディスプレイ装置１’の左側と右側とに最も隣接する左側及び右側の中間設置場所１２６−２、１２６−５に設置する。
【００９４】
音響トランスデューサユニット１３０をサウンドバー本体１２０の設置場所１２６に設置すると、音響トランスデューサユニット１３０の接続端子１３７、１３８がサウンドバー本体１２０の左側及び右側の中間設置場所１２６−２、１２６−５の端子１２７、１２８に電気的に接続されるため、サウンドバー本体１２０から出力されるオーディオ信号が音響トランスデューサユニット１３０によって再生される。
【００９５】
図１４Ｅ及び図１４Ｆは、最も小さいサイズの平板ディスプレイ装置１”、例えば、４２インチの平板ディスプレイ装置１”に本発明の一実施形態に係る分離型音響トランスデューサを備えるサウンドバー装置１０を設置した場合を示す。
【００９６】
図１４Ｅ及び図１４Ｆを参照すると、サウンドバー本体１２０は平板ディスプレイ装置１”の前、即ち、平板ディスプレイ装置１”のスタンド２”の前に設置される。続いて、ユーザは、二つの音響トランスデューサユニット１３０をサウンドバー本体１２０の左側と右側に設置する。このとき、サウンドバー本体１２０に設けられる複数の設置場所１２６は、全て平板ディスプレイ装置１”の左側と右側に突出している。よって、ユーザは二つの音響トランスデューサユニット１３０を平板ディスプレイ装置１”の外部に突出した設置場所１２６のうち、平板ディスプレイ装置１”の左側と右側とに最も隣接する左側及び右側の設置場所１２６−３、１２６−４、即ち、複数の設置場所１２６のうち最内側に位置する設置場所１２６−３、１２６−４に設置する。
【００９７】
音響トランスデューサユニット１３０をサウンドバー本体１２０の設置場所１２６に設置すると、音響トランスデューサユニット１３０の接続端子１３７、１３８がサウンドバー本体１２０の最内側の設置場所１２６−３、１２６−４の端子１２７、１２８に電気的に接続されるため、サウンドバー本体１２０から出力されるオーディオ信号が音響トランスデューサユニット１３０によって再生される。
【００９８】
このように、本発明による分離型音響トランスデューサを備えるサウンドバー装置１０は、二つの音響トランスデューサユニット１３０を平板ディスプレイ装置１、１’、１”の大きさに合うようにサウンドバー本体１２０に設置することができるため、一つのサウンドバー装置１０を多様な大きさの平板ディスプレイ装置１、１’、１”に適用することができる。
【００９９】
以上では、サウンドバー本体１２０に左側及び右側に３つの設置場所１２６が設けられた場合について説明したが、設置場所１２６の数はそれに限定されるものではない。サウンドバー本体１２０の設置場所１２６は、サウンドバー本体１０を適用する複数の平板ディスプレイ装置の横の長さに応じて２つまたは４つ以上設けることもできる。
【０１００】
以上では、サウンドバー本体２０、１２０の長さ（Ｌ）が一定になる場合について説明したが、サウンドバー本体はその長さを可変できるように構成することもできる。
【０１０１】
以下、図１５ないし図１８を参照し、サウンドバー本体をテレスコープ方式で構成した場合について説明する。
【０１０２】
図１５は、本発明の一実施形態に係る分離型音響トランスデューサを備えるサウンドバー装置のサウンドバー本体の別の例を示す斜視図である。図１６は、図１５のサウンドバー本体を一段短くした状態を示す斜視図であり、図１７は、図１５のサウンドバー本体を完全に短くした状態を示す斜視図である。図１８は、本発明の一実施形態に係る分離型音響トランスデューサを備えるサウンドバー装置のサウンドバー本体の別の例の機能ブロック図である。
【０１０３】
図１５を参照すると、本発明の一実施形態に係る分離型音響トランスデューサを備えるサウンドバー装置に使用されるサウンドバー本体２００は、中央部２１０、左側伸長部２２０及び右側伸長部２３０を含んでよい。
【０１０４】
中央部２１０は、高さが低く幅が狭く長さがない略直方体状に形成されてよい。中央部２１０の両端には、左側伸長部２２０と右側伸長部２３０が収容される左側及び右側収容部２１１、２１２が設けられる。
【０１０５】
左側伸長部２２０は、中央部２１０の左側端に設置され、折りたためる少なくとも二つ以上の伸長部材２２１、２２２と、端子２２５の設けられた端子部２２３で構成される。
【０１０６】
図１５に示すサウンドバー本体２００の場合には、左側伸長部２２０は端子部２２３を中央部２１０に接続する２つの伸長部材、即ち、第１伸長部材２２１と第２伸長部材２２２を含む。第１伸長部材２２１は、中央部２１０の左側収容部２１１に挿入されるか、左側収容部２２１から抜けられるように形成され、第２伸長部材２２２は、第１伸長部材２２１に挿入されるか、第１伸長部材２２１から抜けられるように形成される。第２伸長部材２２２を第１伸長部材２２１に挿入し、第１伸長部材２２１を左側収容部２１１に挿入すると、端子部２２３が中央部２１０の左側端に接触するようになる。
【０１０７】
端子部２２３は、中央部２１０と同じ幅と高さを有するように形成されてよい。端子部２２３の上面に設けられた端子２２５は、音響トランスデューサユニット３０（図３を参照）の接続端子３５と接続されてよい。左側端子部２２３の端子２２５は、＋端子と−端子とで構成されてよい。
【０１０８】
右側伸長部２３０は、中央部２１０の右側端に設置され、折りたためる少なくとも二つ以上の伸長部材２３１、２３２と端子２３５とが設けられた端子部２３３で構成される。
【０１０９】
図１５に示すサウンドバー本体２００の場合には、右側伸長部２３０は端子部２２３を中央部２１０に接続する２つの伸長部材、即ち、第１伸長部材２３１と第２伸長部材２３２を含む。第１伸長部材２３１は、中央部２１０の右側収容部２１２に挿入されるか、右側収容部２１２から抜けられるように形成され、第２伸長部材２３２は、第１伸長部材２３１に挿入されるか、第１伸長部材２３１から抜けられるように形成される。第２伸長部材２３２を第１伸長部材２３１に挿入し、第１伸長部材２３１を右側収容部２１２に挿入すると、端子部２３３が中央部２１０の右側端に接触するようになる。
【０１１０】
端子部２３３は、中央部２１０と同じ幅と高さを有するように形成されてよい。端子部２３３の上面に設けられた端子２３５は、音響トランスデューサユニット３０（図３を参照）の接続端子３５と接続されてよい。右側端子部２３３の端子２３５は、＋端子と−端子とで構成されてよい。
【０１１１】
図１５は、サウンドバー本体２００を最大限に伸ばした状態で、左側伸長部２２０の第１及び第２伸長部材２２１、２２２が完全に抜けられ、右側伸長部２３０の第１及び第２伸長部材２３１、２３２も完全に抜けられた状態である。よって、左側端子部２２３と右側端子部２３３は、全て中央部２１０から最も離れている。この状態のサウンドバー本体２００は、最大大きさの平板ディスプレイ装置に使用することができる。
【０１１２】
図１６は、図１５に示されたサウンドバー本体２００を一段短くした状態で、左側伸長部２２０の第１伸長部材２２１は、左側収容部２１１から抜けられた状態であり、第２伸長部材２２２は第１伸長部材２２１に挿入された状態である。なお、右側伸長部２３０の第１伸長部材２３１は、右側収容部２１２から抜けられた状態であり、第２伸長部材２３２は第１伸長部材２３１に挿入された状態である。よって、左側端子部２２３と右側端子部２３３は、全て中央部２１０から第１伸長部材２２１、２３１の長さの分だけ離隔した状態である。この状態のサウンドバー本体２２０は、中間サイズの平板ディスプレイ装置に使用することができる。
【０１１３】
図１７は、図１５に示されたサウンドバー本体２００の長さを最小にした状態で、左側伸長部２２０の第１及び第２伸長部材２２１、２２２が全て左側収容部２１１に挿入され、右側伸長部２３０の第１及び第２伸長部材２３１、２３２が全て右側収容部２１２に挿入された状態である。よって、左側端子部２２３と右側端子部２３３は、全て中央部２１０の左側端と右側端に接触している。この状態のサウンドバー本体２００は、最小サイズの平板ディスプレイ装置に使用することができる。
【０１１４】
図１８に示すように、サウンドバー本体２００の中央部２１０の内部には、オーディオ処理部２０１、アンプ２０３、及び電源装置２０２が設けられる。本発明の一実施形態に係るサウンドバー本体２００のオーディオ処理部２０１、アンプ２０３、及び電源装置２０２は、上述の図４のサウンドバー本体２０のオーディオ処理部２１、アンプ２３、及び電源装置２２と同一であるため、詳細な説明は省略する。
【０１１５】
サウンドバー本体２００の中央部２１０に設置されたアンプ２０３は、左側及び右側端子部２２３、２３３に設けられた端子２２５、２３５に電気的に接続されている。
【０１１６】
よって、サウンドバー本体２００の端子部２２３、２３３に音響トランスデューサユニット３０（図３を参照）を設置すると、サウンドバー本体２００から出力されるオーディオ信号が音響トランスデューサユニット３０で再生される。
【０１１７】
以下、別の例として、伸長ブロックを使用して長さを調節できるサウンドバー本体について、図１９ないし図２２を参照して説明する。
【０１１８】
図１９は、本発明の一実施形態に係る分離型音響トランスデューサを備えるサウンドバー装置のサウンドバー本体の別の例を示す斜視図である。図２０は、図１９の分離型音響トランスデューサを備えるサウンドバー装置のサウンドバー本体から中央ブロックと端子ブロックを分離した状態を示す斜視図である。図２１は、図１９の分離型音響トランスデューサを備えるサウンドバー装置のサウンドバー本体に伸長ブロックを設置した状態を示す斜視図である。図２２は、図１９の分離型音響トランスデューサを備えるサウンドバー装置に使用される伸長ブロックを示す斜視図である。
【０１１９】
図１９及び図２０を参照すると、本発明の一実施形態に係る分離型音響トランスデューサを備えるサウンドバー装置に使用され得るサウンドバー本体３００は、中央ブロック３１０と一対の端子ブロック３２０、３３０を含む。
【０１２０】
中央ブロック３１０は、高さが低く幅が狭く長さがない略直方体状に形成されてよい。中央ブロック３１０の両端には、それぞれ２つの接続突起３１１が設けられる。具体的に、中央ブロック３１０の左側端には２つの左側接突起３１１が設けられ、中央ブロックの右側端には２つの右側接続突起３１２が設けられる。２つの左側接続突起３１１と右側接続突起３１２は電気的導体で形成されてよい。
【０１２１】
中央ブロック３１０の内部には、オーディオ処理部、アンプ及び電源装置が設けられてよい。本実施形態に係るサウンドバー本体３００の中央ブロック３１０に設けられるオーディオ処理部、アンプ及び電源装置は、図１８に示すサウンドバー本体２００のオーディオ処理部２０１、アンプ２０３及び電源装置２０２と同様であるため、詳細な説明は省略する。アンプの出力端子は、２つの左側接続突起３１１と２つの右側接続突起３１２に接続されてよい。
【０１２２】
一対の端子ブロック３２０、３３０、即ち、左側端子ブロック３２０と右側端子ブロック３３０は、中央ブロック３１０と同じ幅と高さを有するように形成されてよい。左側及び右側端子ブロック３２０、３３０の上面には、上述の音響トランスデューサユニット３０（図３を参照）の接続端子３５が接続され得る端子３２５、３３５が設けられる。左側及び右側端子ブロック３２０、３３０の端子３２５、３３５は、＋端子と−端子で構成されてよい。
【０１２３】
左側端子ブロック３２０の一側面には上述の中央ブロック３１０の２つの左側接続突起３１１が挿入され得る２つの接続溝３２１が設けられる。２つの接続溝３２１は、電気的導体で構成され、端子３２５と電気的に接続されるように形成される。左側端子ブロック３２０の２つの接続溝３２１に中央ブロック３１０の２つの左側接続突起３１１を挿入すると、左側端子ブロック３２０が中央ブロック３１０に固定される。このとき、左側端子ブロック３２０の端子３２５は、左側接続溝３２１と左側接続突起３１１を通じて中央突起３１０のアンプに電気的に接続される。よって、左側端子ブロック３２０に音響トランスデューサユニット３０を設置すると、左側端子ブロック３２０の端子３２５に音響トランスデューサユニット３０の接続端子３５が電気的に接続されてサウンドバー本体３００のオーディオ処理部から出力されるオーディオ信号が音響トランスデューサユニット３０を通じて再生される。
【０１２４】
右側端子ブロック３３０の一側面には上述の中央ブロック３１０の２つの右側接続突起３１２が挿入され得る２つの接続溝３３１が設けられる。２つの接続溝３３１は、電気的導体で構成され、端子３３５と電気的に接続されるように形成される。右側端子ブロック３３０の２つの接続溝３３１に中央ブロック３１０の２つの右側接続突起３１２を挿入すると、右側端子ブロック３３０が中央ブロック３１０に固定される。このとき、右側端子ブロック３３０の端子は、右側接続溝３３１と右側接続突起３１２を通じて中央突起３１０のアンプに電気的に接続される。よって、右側端子ブロック３３０に音響トランスデューサユニット３０を設置すると、右側端子ブロック３３０の端子３３５に音響トランスデューサユニット３０の接続端子３５が電気的に接続されてサウンドバー本体３００のオーディオ処理部から出力されるオーディオ信号が音響トランスデューサユニット３０を通じて再生される。
【０１２５】
このように、中央ブロック３１０と一対の端子ブロック３２０、３３０で構成されたサウンドバー本体３００の長さは、最小サイズの平板ディスプレイ装置に対応するように設けられる。本発明によるサウンドバー本体３００を大きいサイズの平板ディスプレイ装置に適用する場合には、中央ブロック３１０と左側及び右側端子ブロック３２０、３３０の間に、図２１に示すように、分離自在の伸長ブロック３４０を設置することができる。
【０１２６】
具体的に、中央ブロック３１０の左側端と左側端子ブロック３２０との間に伸長ブロック３４０を挿入し、中央ブロック３１０の右側端と右側端子ブロック３３０との間に伸長ブロック３４０を挿入すると、サウンドバー本体３００の長さを伸ばすことができる。
【０１２７】
伸長ブロック２３０は、幅（Ｗ１）と高さ（Ｈ１）は、中央ブロック３１０の幅及び高さと同様に形成され、伸長ブロック３４０の長さ（Ｌ１）は、一つの音響トランスデューサユニット３０が設置され得る大きさが設けられる。なお、図２２に示すように、伸長ブロック３４０の一側面に、中央ブロック３１０の側面に設けられた２つの接続突起３１１、３１２が挿入される２つの接続溝３４２が設けられ、他側面には、端子ブロック３２０、３３０の側面に設けられた２つの接続溝３２１、３３１に挿入され得る２つの接続突起３４１が設けられる。
【０１２８】
伸長ブロック３４０の接続溝３４２と接続突起３４１とは、電気伝導性物質で形成され、接続溝３４２と接続突起３４１とは、信号線３４３によって電気的に接続されている。よって、伸長突起３４０の２つの接続溝３４２を中央ブロック３１０の２つの接続突起３１１、３１２に挿入し、伸長ブロック３４０の２つの接続突起３４１を端子ブロック３２０、３３０の２つの接続溝３２１、３３１に挿入すると、伸長ブロック３４０を介して端子ブロック３２０、３３０の端子３２５、３３５が中央ブロック３１０のアンプに接続される。よって、中央ブロック３１０と端子ブロック３２０、３３０との間に設置される伸長ブロック３４０の数を調節すると、サウンドバー本体３００の長さを調節することができる。
【０１２９】
例えば、中央ブロック３１０と一対の端子ブロック３２０、３３０で構成されたサウンドバー本体３００の長さより長い横の長さをもつ平板ディスプレイ装置に本発明の一実施形態に係るサウンドバー本体３００を使用する場合には、中央ブロック３１０と一対の端子ブロック３２０、３３０との間に適切な数の伸長ブロック３４０を設置し、サウンドバー本体３００の長さを平板ディスプレイ装置の横の長さに合わせることができる。即ち、左側端子ブロック３２０が平板ディスプレイ装置の左側に突出し、右側端子ブロック３３０が平板ディスプレイ装置の右側に突出するように伸長ブロック３４０を中央ブロック３１０と左側及び右側端子ブロック３２０、３３３０の間に設置することができる。
【０１３０】
平板ディスプレイ装置の左側及び右側に突出した端子ブロック３２０、３３０に、音響トランスデューサユニット３０（図３を参照）を設置すると、平板ディスプレイ装置から出力されるオーディオ信号を音響トランスデューサユニット３０を介して再生することができる。
【０１３１】
このように、サウンドバー本体２００、３００の長さを平板ディスプレイ装置の横の長さに合わせて調節することができるように構成すると、音響トランスデューサユニット３０の外側に突出するサウンドバー本体２００、３００部分がないため、平板ディスプレイ装置とサウンド装置との全体的な見た目を向上させることができる。
【０１３２】
以上では、サウンドバー本体のオーディオ信号が有線で音響トランスデューサユニットの音響トランスデューサに伝達されるように構成された場合について説明したが、オーディオ信号は無線で伝送されるように構成することもできる。
【０１３３】
以下、図２３及び図２４を参照し、オーディオ信号を無線で伝送するように構成された本発明の一実施形態に係る分離型音響トランスデューサを備えるサウンドバー装置について説明する。
【０１３４】
図２３は、本発明の別の実施形態に係る分離型音響トランスデューサを備えるサウンドバー装置を示す斜視図である。図２４は、図２３の分離型音響トランスデューサを備えるサウンドバー装置の機能ブロック図である。
【０１３５】
図２３及び図２４を参照すると、本発明の一実施形態に係る分離型音響トランスデューサを備えるサウンドバー装置４００は、サウンドバー本体４２０と音響トランスデューサユニット４３０とを含んでよい。
【０１３６】
サウンドバー本体４２０は、平板ディスプレイ装置の前に設置されるものとして、高さが低く長さが長い棒状に形成される。例えば、サウンドバー本体４２０は、図２３に示すように、高さが低く幅が狭く長さが長い略直方体状に形成されてよい。
【０１３７】
サウンドバー本体４２０の長さは、サウンドバー装置４００が適用される多様な大きさの平板ディスプレイ装置のうち、最も大きい平板ディスプレイ装置の横の長さに対応できるように定められる。例えば、本発明のサウンドバー装置４００を３２インチないし６５インチ範囲の平板ディスプレイ装置に適用できるように形成する場合には、サウンドバー本体４２０の長さは６５インチ平板ディスプレイ装置の横の長さに対応するように設けられる。具体的に、サウンドバー本体４２０は、平板ディスプレイ装置の横の長さより２つの音響トランスデューサユニット４３０を設置できるくらいの長さを更にもつように形成することができる。例えば、サウンドバー本体４２０を平板ディスプレイ装置の前に設置した場合、サウンドバー本体４２０の左側端と右側端とが平板ディスプレイ装置の左側と右側とに一定の長さの分だけ突出するようにサウンドバー本体４２０の長さを定めることができる。このとき、サウンドバー本体４２０の突出の長さは、音響トランスデューサユニット４３０の全面幅に応じて定められてよい。
【０１３８】
サウンドバー本体４２０の上面には、複数の固定部４２５が設けられてよい。複数の固定部４３５は、音響トランスデューサユニット４３０に設けられる結合部４３５に対応するように形成されており、固定部４２５と結合部４３５によって音響トランスデューサユニット４３０がサウンドバー本体４２０に固定される。
【０１３９】
このような複数の固定部４２５は、サウンドバー本体４２０の長手方向に一直線上に設けられてよい。なお、複数の固定部４２５は、サウンドバー本体４２０の両側端に対称になるように設けられる。具体的に、サウンドバー本体４２０の左側端付近には複数の左側固定部４２５Ｌが設けられ、サウンドバー本体４２０の右側端付近には複数の右側固定部４２５Ｒが設けられる。このとき、複数の左側固定部４２５Ｌと複数の右側固定部４２５Ｒとは、同じ数で設けられる。例えば、図２３に示されるように、左側固定部４２５Ｌが３つの固定部４２５で構成された場合、右側固定部４２５Ｒも３つの固定部４２５で構成される。複数の左側固定部４２５Ｌと複数の右側固定部４２５Ｒの数は、適用される平板ディスプレイ装置のモデルの数に応じて定められてよい。図２３に示す実施形態の場合には、３つの平板ディスプレイ装置のモデルに適用できるようにサウンドバー本体４２０の３つの左側固定部４２５Ｌと３つの右側固定部４２５Ｒを含む。
【０１４０】
複数の固定部４２５の間の間隔は、適用される複数の平板ディスプレイ装置の横の長さの差に応じて決定されてよい。例えば、左側及び右側の最外側に位置する固定部４２５は、６５インチ平板ディスプレイ装置に合うように定められ、左側及び右側の中間に位置する固定部４２５は、５５インチ平板ディスプレイ装置に合うように定められ、左側及び右側の最内側に位置する固定部４２５は、４８インチ平板ディスプレイ装置に合うように固定部４２５の間の間隔が定められてよい。
【０１４１】
複数の固定部４２５は、多様な方式で形成することができる。図２３に示すサウンドバー本体４２０の固定部４２５は磁石で形成される。このとき、音響トランスデューサユニット４３０の結合部４３５は、磁石に付着できる金属板で構成されてよい。
【０１４２】
または、図示していないが、複数の固定部４２５はワンタッチ方式、挿入方式、フック方式など、音響トランスデューサユニット４３０をサウンドバー本体４２０に固定できるようにした多様な方式が使用されてよい。このとき、音響トランスデューサユニット４３０の結合部４３５は、サウンドバー本体４２０の固定部４２５に対応するように形成される。
【０１４３】
図２４を参照すると、サウンドバー本体４２０の内部には、オーディオ信号処理部４２１、送信部４２３、電源装置４２２が設けられてよい。
【０１４４】
オーディオ信号処理部４２１は、外部入力装置、例えば、平板ディスプレイ装置から出力されるオーディオ信号を処理して左側及び右側送信部４２３に伝送する。オーディオ信号処理部４２１は、従来技術によるサウンドバーに使用されるオーディオ信号処理部と同一か類似するため、詳細な説明は省略する。
【０１４５】
左側及び右側送信部４２３は、オーディオ信号処理部４２１から伝送されたオーディオ信号を無線に変換して伝送する。送信部４２３は、ブルートゥース（Ｂｌｕｅｔｏｏｔｈ（登録商標））、Ｗｉ−Ｆｉ、Ｚｉｇｂｅｅ、ＮＦＣ（Ｎｅａｒ  Ｆｉｅｌｄ  Ｃｏｍｍｕｎｉｃａｔｉｏｎ）などを用いてオーディオ信号を伝送することができる。
【０１４６】
電源装置４２２は、オーディオ信号処理部４２１と送信部４２３とに電源を供給するものとして、ＳＭＰＳ、ＤＣ整流装置、ＤＣ定電圧装置などが使用されてよい。別の例としては、サウンドバー本体４２０の内部に電源装置４２２を設置せずに、サウンドバー本体４２０の外部に設けられるＤＣアダプタを用いてオーディオ信号処理部４２１と送信部４２３に電源を供給するように構成することもできる。
【０１４７】
電源装置４２２は、無線で電気を伝送することができるように形成することができる。例えば、電源装置４２２は、磁気誘導方式、磁気共振方式などで電力を音響トランスデューサユニット４３０に伝送できる無線電力伝送装置４２２ａを含んでよい。
【０１４８】
音響トランスデューサユニット４３０は、上述のサウンドバー本体４２０に対して分離自在に設置される。音響トランスデューサユニット４３０をサウンドバー本体４２０の上面に設置すると、音響トランスデューサユニット４３０は、サウンドバー本体４２０に略垂直に位置するようになる。なお、音響トランスデューサユニット４３０は、サウンドバー４２０に設けられた複数の固定部４２５のうちの一つの固定部４２５に分離自在に結合されるように形成される。音響トランスデューサユニット４３０は、オーディオ信号をステレオで再生することができるようにサウンドバー本体４２０の左側端と右側端に一つずつ設置される。
【０１４９】
音響トランスデューサユニット４３０は、エンクロージャ４３３、音響トランスデューサ４３１、アンプ４３５、受信部４３４、及び電源部４３６を含んでよい。
【０１５０】
エンクロージャ４３３は、音響トランスデューサ４３１を囲み、音響トランスデューサユニット４３０の外観を形成する。図２３に示すように、エンクロージャ４３３の下部には、結合部４３５が設けられ、結合部４３５はサウンドバー本体４２０の固定部４２５に対応するように形成される。
【０１５１】
受信部４３４は、サウンドバー本体４２０の送信部４２３に無線で伝送されたオーディオ信号を受信してアンプ４３２に伝送する。受信部４３４は、サウンドバー本体４２０の送信部４２３から伝送する無線信号を受信することができるようにブルートゥース、Ｗｉ−Ｆｉ、Ｚｉｇｂｅｅ、ＮＦＣなどで構成されてよい。
【０１５２】
アンプ４３２は、受信部４３４から出力されたオーディオ信号を増幅して音響トランスデューサ４３１に出力する。
【０１５３】
音響トランスデューサ４３１は、アンプ４３２から出力されたオーディオ信号を受信して音を再生する。本実施形態に係る音響トランスデューサユニット４３０に使用された音響トランスデューサ４３１は、低音域から高音域まで再生することができるように形成される。別の例としては、図示していないが、音響トランスデューサユニット４３０は、２つの音響トランスデューサ、即ち、中音域用音響トランスデューサと高音域用音響トランスデューサを含んでよい。
【０１５４】
電源部４３６は、サウンドバー本体４２０から無線で伝送された電力を受信してアンプ４３２と受信部４３４に電力を供給できるように形成される。別の例として、電源部４３６は、充電バッテリと無線充電装置で構成することもできる。即ち、無線充電装置がサウンドバー本体４２０から無線で出力される電力を受信し、充電バッテリを充電するように構成することもできる。
【０１５５】
別の例として、充電バッテリは有線で充電するように構成することもできる。この場合には、サウンドバー本体４２０の電源装置４２２は有線で音響トランスデューサユニット４３０に電力を供給するように構成される。そのために、サウンドバー本体４２０には、電力供給端子（図示せず）が設けられ、音響トランスデューサユニット４３０には電力受信端子（図示せず）が設けられてよい。
【０１５６】
更に別の例としては、音響トランスデューサユニット４３０の電源部４３６はバッテリで構成することもできる。
【０１５７】
以上で説明するように、本発明の一実施形態に係る分離型音響トランスデューサを備えるサウンドバー装置は、様々な大きさの平板ディスプレイ装置に適用できるため、製造コストを削減できるように利点がある。
【０１５８】
なお、本発明の一実施形態に係る分離型音響トランスデューサを備えるサウンドバー装置は、２つの音響トランスデューサが平板ディスプレイ装置の両側に設置されるため、２つの音響トランスデューサが平板ディスプレイ装置の前方に位置する従来技術によるサウンドバーに比べて、ステレオ音場を広くする。よって、従来技術によるサウンドバーに比べて音質の向上する効果がある。
【０１５９】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
0006833036.tif 000002
【図２】
0006833036.tif 000003
【図３】
0006833036.tif 000004
【図４】
0006833036.tif 000005
【図５】
0006833036.tif 000006
【図６】
0006833036.tif 000007
【図７】
0006833036.tif 000008
【図８】
0006833036.tif 000009
【図９】
0006833036.tif 000010
【図１０】
0006833036.tif 000011
【図１１Ａ】
0006833036.tif 000012
【図１１Ｂ】
0006833036.tif 000013
【図１１Ｃ】
0006833036.tif 000014
【図１２】
0006833036.tif 000015
【図１３】
0006833036.tif 000016
【図１４Ａ】
0006833036.tif 000017
【図１４Ｂ】
0006833036.tif 000018
【図１４Ｃ】
0006833036.tif 000019
【図１４Ｄ】
0006833036.tif 000020
【図１４Ｅ】
0006833036.tif 000021
【図１４Ｆ】
0006833036.tif 000022
【図１５】
0006833036.tif 000023
【図１６】
0006833036.tif 000024
【図１７】
0006833036.tif 000025
【図１８】
0006833036.tif 000026
【図１９】
0006833036.tif 000027
【図２０】
0006833036.tif 000028
【図２１】
0006833036.tif 000029
【図２２】
0006833036.tif 000030
【図２３】
0006833036.tif 000031
【図２４】
0006833036.tif 000032